(57)【要約】【課題】照明器を設置するスペースを抑制することができ、更には１つの照明器によって浴槽本体側および浴槽前床側の両方を照らすことができる浴室ユニットを提供する。【解決手段】浴室ユニット１００は、湯を溜める浴槽本体１１と、浴槽前床５０とを備え、浴槽本体１１側と浴槽前床５０側とが仕切られている。浴室ユニット１００は、浴槽本体１１側と浴槽前床５０側との引き戸４０による仕切りの周縁部に照明器７０が設けられている。【選択図】図１
2017218875.tif 000002
【特許請求の範囲】
【請求項１】
湯を溜める浴槽本体と、浴槽前床とを備え、前記浴槽本体側と前記浴槽前床側とが仕切られている浴室ユニットであって、
前記浴槽本体側と前記浴槽前床側との仕切りの周縁部に照明器を設けたことを特徴とする浴室ユニット。
【請求項２】
前記照明器は、前記浴槽本体側と前記浴槽前床側の両方を照らすことを特徴とする請求項１に記載の浴室ユニット。
【請求項３】
前記照明器は光源部を有しており、
前記光源部の光の出射方向が前記浴槽本体側の中央部および前記浴槽前床側の中央部の方向に向いていることを特徴とする請求項２に記載の浴室ユニット。
【請求項４】
前記浴槽本体および前記浴槽前床を囲むパネルを有し、
前記照明器は、前記周縁部における前記パネルを照らすことを特徴とする請求項１から３のいずれか１項に記載の浴室ユニット。
【請求項５】
前記浴槽前床に進入するための入り口を有し、
前記照明器が前記入り口より遠い前記周縁部に設けられていることを特徴とする請求項１から４のいずれか１項に記載の浴室ユニット。
【発明の詳細な説明】
【技術分野】
【０００１】
本発明は、浴室ユニットに関する。
【背景技術】
【０００２】
浴室ユニットは、湯を溜める浴槽本体と、浴槽本体の手前側に設けた浴槽前床を有する。浴室ユニットは、周囲を壁パネル、上方を天井パネルで覆われている。浴室ユニット内の空間には、浴槽本体のほか、洗面台やトイレが設けられることもあり、ユーザがより快適に浴室ユニットを利用するための工夫がなされている。
【０００３】
例えば、特許文献１には、浴槽本体と浴槽前床とを隔てる仕切りを設けた浴室ユニットが開示されている。この浴室ユニットは、浴槽本体側と浴槽前床側のそれぞれに照明器が配置されている。
【先行技術文献】
【特許文献】
【０００４】
【特許文献１】特開２００８−０９５４７５号公報
【発明の概要】
【発明が解決しようとする課題】
【０００５】
特許文献１に記載の浴室ユニットは、浴槽本体側と浴槽前床側のそれぞれに照明器が配置されているので、照明器が２つ必要となり、２つ分の照明器の設置スペースが必要になるという問題点があった。また、２つの照明器が設置されるそれぞれの箇所へ配線する必要があり、浴室ユニットへの配線作業に手間がかかるという問題点もあった。
【０００６】
本発明は、斯かる事情に鑑みてなされたものであり、その目的とするところは、照明器を設置するスペースを抑制することができ、更には１つの照明器によって浴槽本体側および浴槽前床側の両方を照らすことができる浴室ユニットを提供することにある。
【課題を解決するための手段】
【０００７】
本発明に係る浴室ユニットは、湯を溜める浴槽本体と、浴槽前床とを備え、前記浴槽本体側と前記浴槽前床側とが仕切られている浴室ユニットであって、前記浴槽本体側と前記浴槽前床側との仕切りの周縁部に照明器を設けたことを特徴とする。
【０００８】
本発明にあっては、浴室ユニットは、湯を溜める浴槽本体と、浴槽前床とを備え、浴槽本体側と浴槽前床側とが仕切られている。浴室ユニットは、浴槽本体側と浴槽前床側との仕切りの周縁部に照明器を設けてある。これにより、浴室ユニットは照明器を設置するスペースを抑制することができる。
【発明の効果】
【０００９】
本発明によれば、浴室ユニットは、湯を溜める浴槽本体と、浴槽前床とを備え、浴槽本体側と浴槽前床側とが仕切られている。浴室ユニットは、浴槽本体側と浴槽前床側との仕切りの周縁部に照明器を設けてあるので、照明器を設置するスペースを抑制することができる。
【図面の簡単な説明】
【００１０】
【図１】本発明の実施形態に係る浴室ユニットの外観を示す斜視図である。
【図２】本発明の実施形態に係る浴室ユニットの縦断面図である。
【図３】図２のＡ−Ａ線による断面図である。
【図４】図２のＢ−Ｂ線による断面図である。
【図５】照明器の水平断面図である。
【図６】浴室ユニット内における照明器の光の広がりを説明するための模式図である。
【図７】変形例に係る照明器の水平断面図である。
【図８】別の変形例に係る照明器の水平断面図である。
【図９】さらに別の変形例に係る照明器の水平断面図である。
【図１０】さらに別の変形例に係る照明器の水平断面図である。
【発明を実施するための形態】
【００１１】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（実施形態）
図１は本発明の実施形態に係る浴室ユニット１００の外観を示す斜視図、図２は本発明の実施形態１に係る浴室ユニット１００の縦断面図、図３は図２のＡ−Ａ線による断面図である。図４は図２のＢ−Ｂ線による断面図である。尚、図１においては浴室ユニット１００の手前側の壁パネルを省略した。浴室ユニット１００は、浴槽装置１、引き戸４０、浴槽前床５０、照明器７０および壁パネル６０等を有する。浴槽装置１は、湯を溜めることができる浴槽本体１１および吐水装置３を有する。浴槽本体１１と浴槽前床５０とは、間仕切りである引き戸４０によって仕切られており、周囲が壁パネル６０によって覆われ、上方を天井パネル６１ａおよび６１ｂによって覆われている。照明器７０は、引き戸４０による仕切りの周縁部分に設けられている。また、浴室ユニット１００への入り口６２には、引き戸６３が設けられ、入り口６２を開閉することができる。
【００１３】
ユーザは、浴槽装置１において、水を用いて、身体を洗い、シャワーを浴び、浴槽本体１１に湯を溜めて入浴する。これに対し、浴槽前床５０は、ユーザが脱衣や着衣等を行ったり、衣類を乾かしたりするための空間を提供する。浴槽前床５０には洗面台などを配置しても良いが、浴槽前床５０を水の受け皿として機能させるものではない。浴槽前床５０の部分における壁パネル６０ｂには、収納棚６４などを配置し、衣類やタオルなどを収納する。尚、浴槽前床５０は、水の受け皿となるものではないため、排水口を設ける必要はないが、床面の洗い流しのために排水口を設けてもよい。
【００１４】
浴槽装置１は、湯を溜める浴槽本体１１、および入浴中のユーザが背中をもたせかけるためのバックレスト２０を有する。浴槽本体１１は、底部１１ｂに排水栓１２、および内側面にオーバーフロー栓１３を有する。排水栓１２を閉状態にして浴槽本体１１に湯を溜めることができ、排水栓１２を開状態にして浴槽本体１１から湯を抜く。オーバーフロー栓１３は、常時開状態にすることで、オーバーフロー栓１３の排水ラインを超える湯が排水され、浴槽本体１１から湯が溢れ出ないようにしてある。尚、オーバーフロー栓１３は、常時開状態のみでなく、閉状態とすることも可能である。
【００１５】
浴槽本体１１は、上端開口が平面視矩形状であり、長手方向の両端におけるフランジ部１１ａの幅が狭く、壁パネル６０ａに近い位置まで開口し、上端開口からやや内側に縮幅した底部１１ｂの端部もフランジ部１１ａの幅が狭い分、壁パネル６０ａに近い位置にある。上端開口および底部１１ｂが壁面に近い位置まで設けられていることによって、ユーザは、浴槽本体１１内に立った姿勢で、壁パネル６０ａに設けた吐水装置３のシャワーヘッド３３を使用し易くなる。シャワーヘッド３３は、上下方向に延びる縦ガイドバーによって上下方向に移動させて保持することができる。尚、浴槽本体１１の上端開口の形状は、平面視矩形状に限らず、楕円形状や、円弧状等に湾曲した辺を有する形状などであってもよい。
【００１６】
ここで、浴槽装置１における浴槽本体１１の深さに関して説明する。図４には浴槽本体１１の底部１１ｂに着座したユーザも表している。浴槽本体１１の底部１１ｂは、浴槽前床５０の床面より低い位置にすることで、同じ浴槽本体の深さであっても、浴槽前床５０側から浴槽本体１１へのまたぎ高さが低くなり、移動が楽になる。例えば、底部１１ｂは、浴槽前床５０の床面よりも４０ｍｍ程度低い位置に設ける。
【００１７】
浴槽本体１１は、湯を浅く溜めることに適した深さとしている。浴槽本体１１は、ユーザが胸から肩あたりまで湯に浸かって身体を十分に温めることができるよう深さ５００ｍｍ程度まで湯を溜めることができるものが一般的である。これに対し、本発明に係る浴槽本体１１は、着座位置において溜めることができる湯の最大深さを３００ｍｍ以上、４００ｍｍ以下としたものである。図４に示すように、着座位置は、浴槽本体１１におけるバックレスト２０側の底部１１ｂとなるが、浴槽本体１１の長手方向の両端部のいずれの側の底部であってもよい。また、浴槽本体１１が底部１１ｂより一段高い着座段部を有する場合には、該着座段部の上面が着座位置となる。
【００１８】
上述のように、浴槽本体１１に設けたオーバーフロー栓１３によって、浴槽本体１１に溜めることができる湯の最大深さが決まる。例えば排水ラインが４００ｍｍとなる位置にオーバーフロー栓１３を設けるとよい。オーバーフロー栓１３のフランジ部１１ａまでの高低差を例えば８０ｍｍとすると、浴槽本体１１のフランジ部１１ａから底部１１ｂまでの深さは４８０ｍｍとなる。またオーバーフロー栓１３を設けず、浴槽本体１１から湯が溢れ出ることを許容する場合には、浴槽本体１１のフランジ部１１ａから底部１１ｂまでの深さは例えば４００ｍｍとなる。
【００１９】
浴槽本体１１は、着座位置において溜めることができる湯の最大深さを３００ｍｍ以上、４００ｍｍ以下とすることによって、半身浴に適したものとなる。半身浴は、心臓の位置まで湯を溜めずに入浴することで心臓への負担を減らして身体を温められることが大きな利点となっている。
【００２０】
照明器７０は、引き戸４０による仕切りの周縁部を形成し、壁パネル６０ａおよび６０ｂの境界部分に設けられており、浴室ユニット１００内における上下方向の下部から上部に亘って光を発する。図５は、照明器７０の水平断面図である。照明器７０は、筐体７１、光源部７２、並びにカバー７３を有する。筐体７１は、断面が矩形状であり、浴槽本体１１の上端縁から天井パネル６１ａおよび６１ｂまで延びる棒状をなす。筐体７１の一辺は壁パネル６０ａおよび６０ｂで形成される壁面に接触しており、該一辺に交差する２辺は開口し、カバー７３が嵌められている。筐体７１は、壁パネル６０ａおよび６０ｂの壁面に接触する一辺に対向する辺に引き戸４０が嵌められており、引き戸４０を嵌め合わせる枠体を兼ねている。
【００２１】
筐体７１の中央部には、浴室ユニット１００の上下方向に延びる細長い基板７２ａの上にＬＥＤ素子７２ｂを離散的に複数配置した２つの光源部７２が並設されており、それぞれ基板７２ａの放線方向、即ち光の出射方向が壁面に平行な方向から傾斜した方向を向いている。一方の光源部７２は、浴槽本体１１側を臨み、光の出射方向は浴槽本体１１の中央側に傾いている。他方の光源部７２は、浴槽前床５０側を臨み、光の出射方向は浴槽前床５０の中央側に傾いている。
【００２２】
筐体７１の内部には、光源部７２からカバー７３へ光を導く導光路７４が形成されている。導光路７４は、中心軸方向が光源部７２の出射方向とほぼ同じ方向である。導光路７４を形成する壁面は、鏡面または白色等の光反射率の高い面とするとよい。カバー７３は、透明、半透明または白色等に着色された薄板であり、光源部７２から出射された光を透過するとともに、筐体７１の内部を密閉する。
【００２３】
照明器７０は、浴室ユニット１００内において、入り口６２から遠い壁パネル６０ａおよび６０ｂの境界部分に設けてあるが、天井パネル６１ａおよび６１ｂにおける引き戸４０による仕切りの周縁部分に水平に設けてもよい。同様に、照明器７０は、浴槽本体１１の浴槽前床５０側の上端縁における引き戸４０による仕切りの周縁部に水平に設けてもよい。また、壁パネル６０ａおよび６０ｂに対向する入り口６２側の壁面パネルにおける引き戸４０による仕切りの周縁部に上下方向に設けてもよい。
【００２４】
次に浴室ユニット１００における照明器７０の作用について説明する。図６は浴室ユニット１００内における照明器７０の光の広がりを説明するための模式図である。尚、図６は図５に示す断面と同等の水平断面を示している。照明器７０は、引き戸４０による仕切りの周縁部に設けられており、引き戸４０を嵌める枠体と兼用になっており、照明器７０を設置するためのスペースを抑制することができる。
【００２５】
浴室ユニット１００は、浴槽本体１１側および浴槽前床５０側にそれぞれ照明器を設ける必要がなく、１つの照明器７０によって浴槽本体１１側および浴槽前床５０側の両方を照らすことができる。また、照明器７０が１つであるため、照明器への配線作業に要する時間を短縮することができる。
【００２６】
照明器７０における２つの光源部７２から出射された光は、それぞれ浴槽本体１１側および浴槽前床５０側を照らす。浴槽本体１１側においては、光源部７２から出射された光がカバー７３によって拡散し、浴槽本体１１の中央部に向かって広がる。浴槽本体１１側を臨む一方の光源部７２は、光軸方向が浴槽本体１１の中央側に傾いているため、浴槽本体１１の中央部に向かって光が広がり易い。
【００２７】
照明器７０は、壁パネル６０ａ付近に設けられているので、照明器７０付近の壁パネル６０ａを明るく照らし、照明器７０から遠くなるに従い壁パネル６０ａの明るさが減少するグラデーションが現れる。壁パネル６０ａに現れる光のグラデーションによって、美観を生じさせる効果がある。また、壁パネル６０ａで反射した光によって浴槽本体１１側の空間が明るくなる。
【００２８】
壁パネル６０ａには吐水装置３が設けられている（図１参照）。ユーザは照明器７０に近い明るい場所で、シャワーヘッド３３を用いて身体を洗い流す作業を行うことができるので、利便性が向上する。
【００２９】
一方、浴槽前床５０側においては、光源部７２から出射された光がカバー７３によって拡散し、浴槽前床５０の中央部に向かって広がる。浴槽前床５０側を臨む他方の光源部７２は、光の出射方向が浴槽前床５０の中央側に傾いているため、浴槽前床５０の中央部に向かって光が広がり易い。
【００３０】
照明器７０は、壁パネル６０ｂ付近に設けられているので、照明器７０付近の壁パネル６０ｂを明るく照らし、照明器７０から遠くなるに従い壁パネル６０ｂの明るさが減少するグラデーションが現れる。壁パネル６０ｂに現れる光のグラデーションによって、美観を生じさせる効果がある。また、壁パネル６０ｂで反射した光によって浴槽前床５０側の空間が明るくなる。
【００３１】
壁パネル６０ｂには収納棚６４等が設けられている（図１参照）。ユーザは照明器７０に近い明るい場所で脱衣および着衣する際に、近くの収納棚６４を利用して衣類を片付けることができるので、利便性が向上する。
【００３２】
照明器７０は、入り口６２から遠い壁パネル６０ａおよび６０ｂの境界部分に設けてある。入り口６２から浴室ユニット１００内へ進入するユーザにとって、浴室ユニット１００内の奥側となる壁パネル６０ａおよび６０ｂが明るく照らされていることで、浴室ユニット１００内の明るさを視認し易く、浴室ユニット１００内が明るい印象を受ける。
【００３３】
照明器７０における２つの光源部７２は、両方同時にオンオフ状態を切り替えるものであっても良いし、オンオフ状態の切り替えを独立とし、いずれか一方をオフ状態にできるようにしても良い。２つの光源部７２におけるオンオフ状態の切り替えを独立とすることによって、例えばユーザにとって不要な一方の光源部７２をオフ状態にすることができ、省電力化を図ることができる。
【００３４】
次に、実施形態の浴室ユニット１００の特徴を説明する。
本発明の実施形態１の浴室ユニット１００は、湯を溜める浴槽本体１１と、浴槽前床５０とを備え、浴槽本体１１側と浴槽前床５０側とが仕切られている。浴室ユニット１００は、浴槽本体１１側と浴槽前床５０側との引き戸４０による仕切りの周縁部に照明器７０が設けられている。これにより、照明器７０を配置するスペースを抑制することができる。
【００３５】
また照明器７０は、浴槽本体１１側と浴槽前床５０側の両方を照らすので、照明器７０を２台設けなくてよい。
【００３６】
また照明器７０は、光源部７２を有し、光源部７２の光の出射方向が浴槽本体１１側の中央部および浴槽前床５０側の中央部の方向に向いている。これにより、光源部７２から出射された光は、浴槽本体１１側の中央部および浴槽前床５０側の中央部に向かって広がり易い。
【００３７】
また浴室ユニット１００は、浴槽本体１１および浴槽前床５０を囲むパネルである壁パネル６０ａおよび６０ｂ、並びに天井パネル６１ａおよび６１ｂを有し、照明器７０は、引き戸４０による仕切りの周縁部における壁パネル６０ａおよび６０ｂを照らす。これにより、壁パネル６０ａおよび６０ｂに光のグラデーションが現れ、美観を生じさせる効果がある。また、壁パネル６０ａおよび６０ｂで反射した光によって、浴槽本体１１側の空間および浴槽前床５０側の空間が明るくなる。照明器７０が天井パネル６１ａおよび６１ｂにおける引き戸４０による仕切りの周縁部分に水平に設けられている場合には、天井パネル６１ａおよび６１ｂを照らし、天井パネル６１ａおよび６１ｂに光のグラデーションが現れ、美観を生じさせる効果がある。また、天井パネル６１ａおよび６１ｂで反射した光によって、浴槽本体１１側の空間および浴槽前床５０側の空間が明るくなる。
【００３８】
また浴室ユニット１００は、浴槽前床５０に進入するための入り口６２を有している。照明器７０は、引き戸４０による仕切りの周縁部のうち入り口６２より遠い箇所に設けられている。浴室ユニット１００内の奥側となる壁パネル６０ａおよび６０ｂが照明器７０によって明るく照らされているので、ユーザは浴室ユニット１００内の明るさを視認し易く、浴室ユニット１００内が明るい印象を受ける。
【００３９】
（変形例）
図７は変形例に係る照明器７０の水平断面図である。上述の実施形態においては、照明器７０の光源部７２は、光の出射方向が浴槽本体１１の中央部および浴槽前床５０の中央部の方向に向いていたが、変形例に係る光源部７２の光軸方向は壁パネル６０ａおよび６０ｂに平行な方向としている。また導光路７４は、中心軸方向が光源部７２の光軸方向とほぼ同じである。
【００４０】
照明器７０から出射される光は、光源部７２の光軸方向である壁パネル６０ａおよび６０ｂと平行な方向に最も強くなるが、カバー７３から出射された光は画角をもって広がる。このため、壁パネル６０ａおよび６０ｂは、照明器７０付近が明るく照らされ、照明器７０から遠くなるに従い壁パネル６０ａおよび６０ｂの明るさが減少するグラデーションが現れる。壁パネル６０ａおよび６０ｂで反射した光は、浴槽本体１１側の空間および浴槽前床５０の空間を照らす。
【００４１】
照明器７０は、上述の実施形態と同様に、入り口６２から遠い壁パネル６０ａおよび６０ｂの境界部分に設けてある。入り口６２から浴室ユニット１００内へ進入するユーザにとって、浴室ユニット１００内の奥側となる壁パネル６０ａおよび６０ｂが明るく照らされていることで、浴室ユニット１００内の明るさを視認し易く、浴室ユニット１００内が明るい印象を受ける。
【００４２】
図８は別の変形例に係る照明器７０の水平断面図である。照明器７０は、壁パネル６０ａおよび６０ｂに埋め込まれており、光源部７２の光の出射方向は、壁パネル６０ａおよび６０ｂの法線方向を向いている。導光路７４は、光源部７２から出射された光を壁パネル６０ａおよび６０ｂの端部と引き戸４０の端部との間の隙間へ導く。カバー７３は、導光路７４の出射端を覆うように壁パネル６０ａおよび６０ｂと平行に設けられている。
【００４３】
照明器７０から出射される光は、浴槽本体１１の中央部および浴槽前床５０の中央部の方向に強くなるので、浴槽本体１１側の空間および浴槽前床５０の空間が明るくなる。一方、照明器７０から出射される光は、壁パネル６０ａおよび６０ｂには当たり難いので、上述の図５および図７に示した照明器７０の場合に比べて、壁パネル６０ａおよび６０ｂは暗くなる。
【００４４】
照明器７０は、壁パネル６０ａおよび６０ｂに埋め込まれているので、浴室ユニット１００内の空間が照明器７０の分だけ広がる。照明器７０の筐体７１は、引き戸４０を嵌める仕切りの枠体を兼用しており、該枠体が壁パネル６０ａおよび６０ｂに埋め込まれることで、ユーザは浴室ユニット１００内が広いという印象を受ける。
【００４５】
図９はさらに別の変形例に係る照明器７０の水平断面図である。照明器７０は、壁パネル６０ａおよび６０ｂに埋め込まれており、浴室ユニット１００の上下方向に延びる１つの光源部７２が設けられている。光源部７２は、光の出射方向が壁パネル６０ａおよび６０ｂの法線方向を向いている。導光路７４は、設けられておらず、光源部７２からの光は、壁パネル６０ａおよび６０ｂの端部間を通ってカバー７３から出射される。カバー７３から出射された光は、引き戸４０の端部に当たって遮蔽されるので、図８に示す照明器７０に比較して、浴槽本体１１側の空間および浴槽前床５０の空間はやや暗くなる。
【００４６】
また、カバー７３から出射された光は、壁パネル６０ａおよび６０ｂには当たり難いので、壁パネル６０ａおよび６０ｂは、上述の図５および図７に示した照明器７０の場合に比べて暗くなる。照明器７０は、壁パネル６０ａおよび６０ｂに埋め込まれているので、浴室ユニット１００内の空間が照明器７０の分だけ広がる。照明器７０の筐体７１は、引き戸４０を嵌める仕切りの枠体を兼用しており、該枠体が壁パネル６０ａおよび６０ｂに埋め込まれることで、ユーザは浴室ユニット１００内が広いという印象を受ける。
【００４７】
図１０はさらに別の変形例に係る照明器７０の水平断面図である。照明器７０の筐体７１は、錐台状をなし、下底部分が壁パネル６０ａおよび６０ｂに接触しており、下底部分の中央に浴室ユニット１００の上下方向に延びる１つの光源部７２が設けられている。光源部７２は、光の出射方向が壁パネル６０ａおよび６０ｂの法線方向を向いている。導光路７４は設けられていない。光源部７２からの光は、筐体７１の上底部分と下底部分をつなぐ側面に設けたカバー７３から出射される。カバー７３から出射された光は、浴槽本体１１の中央部および浴槽前床５０の中央部を照らす。
【００４８】
照明器７０から出射された光によって、照明器７０付近の壁パネル６０ａおよび６０ｂが明るく照らされ、照明器７０から遠くなるに従い壁パネル６０ａおよび６０ｂの明るさが減少するグラデーションが現れる。また、壁パネル６０ａおよび６０ｂで反射した光は、浴槽本体１１側の空間および浴槽前床５０の空間を照らす。
【００４９】
照明器７０は、上述の実施形態と同様に、入り口６２から遠い壁パネル６０ａおよび６０ｂの境界部分に設けてある。入り口６２から浴室ユニット１００内へ進入するユーザにとって、浴室ユニット１００内の奥側となる壁パネル６０ａおよび６０ｂが明るく照らされていることで、浴室ユニット１００内の明るさを視認し易く、浴室ユニット１００内が明るい印象を受ける。
【００５０】
上述の実施形態および各変形例において、照明器７０の筐体７１は、引き戸４０を嵌め合わせる枠体を兼ねているとしたが、該枠体と別個の筐体７１を設け、該枠体の内部に組み込んでもよく、また該枠体の外部に隣接するように設けてもよい。
また、浴槽本体１１側と浴槽前床５０側との仕切りは、浴室ユニット１００内を完全に仕切るものではなく、部分的に仕切るものであってもよい。例えば、浴槽本体１１側と浴槽前床５０側との仕切りが、上下のいずれか一方、左右のいずれか一方を仕切るように設けられていてもよい。
また、上述の実施形態および各変形例において、照明器７０は壁パネル６０ａおよび６０ｂの境界において、両壁パネルにまたがって配置されているが、一方の壁パネルに配置されていてもよい。
また、上述の実施形態および各変形例において、浴槽前床５０は排水機能を有していなくてもよいが、浴槽前床５０に排水機能をもたせて、水を排出するようにしてもよい。この場合、浴槽前床５０は、ユーザが身体を洗い流すための洗い場として利用することができる。
【００５１】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５２】
１１  浴槽本体、  ５０  浴槽前床、  ６０ａ，６０ｂ  壁パネル（パネル）、
６１ａ，６１ｂ  天井パネル（パネル）、  ６２  入り口、  ７０  照明器、
７２  光源部、  １００  浴室ユニット。
【図１】
2017218875.tif 000003
【図２】
2017218875.tif 000004
【図３】
2017218875.tif 000005
【図４】
2017218875.tif 000006
【図５】
2017218875.tif 000007
【図６】
2017218875.tif 000008
【図７】
2017218875.tif 000009
【図８】
2017218875.tif 000010
【図９】
2017218875.tif 000011
【図１０】
2017218875.tif 000012